(57)【要約】【課題】画像読取部が胴内排紙空間を介して画像形成部の上方に配置されている胴内排紙タイプの画像形成装置において、使用者が腰をかがめるなどの動作を要することなく、立ち姿勢のままで胴内排紙空間内の用紙の有無を視認できるようにする。【解決手段】画像読取部５の前部に操作ユニット７を装着し得る第１セット部１０を形成し、画像形成部３の前部に操作ユニット７を装着し得る第２セット部１１を形成し、これら第１セット部１０と第２セット部１１に対して、操作ユニット７を着脱可能に構成する。下側の第２セット部１１に操作ユニット７を装着したとき、胴内排紙空間４に対する前側上方からの斜め下向きの使用者の視界が操作ユニット７により遮られる不具合は生じず、したがって胴内排紙空間４の良好な視認性を確保できる。【選択図】図１
2007316438.tif 000002
【特許請求の範囲】
【請求項１】
原稿画像を読み取るための画像読取部が、胴内排紙空間を介して画像形成部の上方に配置されている胴内排紙タイプの画像形成装置において、
前記画像読取部の前面には、該画像読取部や該画像形成部を操作するための操作部が設けられており、
前記胴内排紙空間の視認性を確保することを目的として、前記操作部が移動可能に構成されていることを特徴とする画像形成装置。
【請求項２】
前記操作部は、少なくとも操作ボタンを筐体上面に具備する操作ユニットとしてユニット化されており、
前記画像読取部の前部には、前記操作ユニットを装着し得る第１セット部が形成されており、前記画像形成部の前部には、前記操作ユニットを装着し得る第２セット部が形成されており、これら第１セット部と第２セット部に対して、前記操作ユニットが着脱可能に構成されている請求項１記載の画像形成装置。
【請求項３】
前記操作部は、少なくとも操作ボタンを筐体上面に具備する操作ユニットとしてユニット化されており、
前記操作ユニットは、その後端縁が前記画像読取部の前端縁に近接する後方寄りの第１操作位置と、前記画像読取部から離れる前方寄りの第２操作位置との間で、スライド機構により前後方向にスライド移動可能に構成されており、
前記操作ユニットを前記第２操作位置に移動させたときに、該操作ユニットと画像読取部との間に対向間隙が形成され、該対向間隙を介して胴内排紙空間の視認性が確保されるようになっている請求項１記載の画像形成装置。
【請求項４】
前記スライド機構が、前記操作ユニットの筐体の左右端部と画像読取部との間を連結する、左右一対のスライドユニットである請求項３記載の画像形成装置。
【請求項５】
前記操作ユニットは無線通信機能を備え、前記画像形成装置の装置本体との間で、無線通信により、操作信号等の送受信を行うことができるようになっている請求項２乃至４のいずれかに記載の画像形成装置。
【発明の詳細な説明】
【技術分野】
【０００１】
本発明は、原稿画像を読み取るための画像読取部が、胴内排紙空間を介して画像形成部の上方に配置されている胴内排紙タイプの画像形成装置に関する。
【背景技術】
【０００２】
この種の胴内排紙タイプの画像形成装置においては、使用者が装置本体の前面に立ってコピー操作やファクシミリ操作などの所望の操作を行うときに、胴内排紙空間（以下、適宜に排紙空間と記す）の視認性が不良となりやすい。すなわち、使用者は装置本体の前側上方から斜めに見下ろす形になるため、一般的な身長の使用者では、排紙空間のほぼ全幅にわたって操作部が視界を遮り、排紙空間内に用紙があるか否かを視認しづらく、排紙空間内の用紙を取り忘れることが多い。
【０００３】
このような用紙の取り忘れは、使用者が腰をかがめるなど、装置本体の前方側から排紙空間内を覗き込み、当該排紙空間内の用紙の有無を確認することで回避できる。しかし、このような動作は使用者にとって煩わしいものであり、また、操作部から目を離したときに、操作ボタンを押し間違えるなどの誤操作を招きやすい。
【０００４】
このため、従来より、胴内排紙空間の視認性を確保する試みが種々なされており、例えば特許文献１では、装置本体の前方上部に、操作パネルの無い側方空間を設け、この側方空間を通して、上方より排紙空間の内部を視認できるようにしている。
【特許文献１】特開平９−３２５５４８号公報
【発明の開示】
【発明が解決しようとする課題】
【０００５】
しかし上記特許文献の形態では、装置本体の前面に形成し得る側方空間の幅寸法には限りがあるため、かかる側方空間を介して排紙空間の内部を確実に視認し得る使用者の立ち位置や目線高さなどは限定されたものとならざるを得ず、一般的な身長の使用者であっても、良好な視認性を確保することが困難であったり、不可能であるなどの不具合が認められた。
【０００６】
本発明は以上のような課題を解決するためになされたものであり、使用者が腰をかがめるなどの動作を要することなく、立ち姿勢のままで胴内排紙空間内の用紙の有無を確実に視認することができる、実用利便性に優れた画像形成装置を提供することを目的とする。
【課題を解決するための手段】
【０００７】
請求項１記載の本発明は、原稿画像を読み取るための画像読取部が、胴内排紙空間を介して画像形成部の上方に配置されている胴内排紙タイプの画像形成装置において、前記画像読取部の前面には、該画像読取部や該画像形成部を操作するための操作部が設けられており、前記胴内排紙空間の視認性を確保することを目的として、前記操作部が移動可能に構成されていることを特徴とする。
【０００８】
請求項２記載の本発明のように、前記操作部は、少なくとも操作ボタンを筐体上面に具備する操作ユニットとしてユニット化する。前記画像読取部の前部には、前記操作ユニットを装着し得る第１セット部が形成され、前記画像形成部の前部には、前記操作ユニットを装着し得る第２セット部が形成されている。そして、これら第１セット部と第２セット部に対して、前記操作ユニットを着脱可能に構成することができる。
【０００９】
請求項３記載の本発明のように、前記操作部は、少なくとも操作ボタンを筐体上面に具備する操作ユニットとしてユニット化する。操作ユニットを、その後端縁が前記画像読取部の前端縁に近接する後方寄りの第１操作位置と、前記画像読取部から離れる前方寄りの第２操作位置との間で、スライド機構により前後方向にスライド移動可能に構成し、前記操作ユニットを前記第２操作位置に移動させたときに、該操作ユニットと画像読取部との間に対向間隙が形成され、該対向間隙を介して胴内排紙空間の視認性が確保されるようにすることができる。
【００１０】
請求項４記載の本発明のように、前記スライド機構は、前記操作ユニットの筐体の左右端部と画像読取部との間を連結する、左右一対のスライドユニットとすることが好ましい。
【００１１】
請求項５記載の本発明のように、前記操作ユニットは無線通信機能を備え、前記画像形成装置の装置本体との間で、無線通信により、操作信号等の送受信を行うことができるようにすることができる。
【発明の効果】
【００１２】
請求項１記載の本発明のように、操作部を移動可能に構成してあると、画像形成装置の前側上方位置から胴内排紙空間に向けた使用者の視野が操作部により遮られる不具合が認められる場合には、当該操作部を移動させるだけで、排紙空間の良好な視認性を簡単確実に確保することができる。これにより、立ち姿勢のままで胴内排紙空間に排出された用紙の有無を視認することができるので、当該排紙空間内における用紙の取り忘れを効果的に防いで、実用利便性に優れた画像形成装置を得ることができる。
【００１３】
具体的には、請求項２記載の本発明のように、装置本体の前部二箇所に、操作ユニットを装着し得るセット部を形成する形態を採ることができる。当該形態においては、下側の第２セット部に操作ユニットを装着しておけば、該操作ユニットが胴内排紙空間に対する前側上方からの斜め下向きの使用者の視界を遮る不具合は生じず、胴内排紙空間の良好な視認性を確保できる。これにて、使用者は腰をかがめるなどの動作を要することなく、立ち姿勢のままで胴内排紙空間内の用紙の有無を確実に視認することが可能となり、用紙の取り忘れを防ぐことができる。
また、第２セット部の装着状態では、操作ユニットまでの距離が遠く、その表示内容が見づらい、或いは操作ユニットを操作しづらいと感じる場合には、第２セット部から操作ユニットを取り外して、第１セット部に付け替えればよい。これにより、使用者の使用態様の変化に即応することが可能となり、画像形成装置の実用利便性の向上に貢献できる。
【００１４】
また、請求項３記載の本発明のように、操作ユニットを、その後端縁が前記画像読取部の前端縁に近接する後方寄りの第１操作位置と、画像読取部から対向間隙を置いて離れる前方寄りの第２操作位置との間でスライド機構によりスライド移動可能に構成する形態を採ることができる。当該形態においては、操作ユニットを前方にスライドさせて第２操作位置に移動させるだけで、操作ユニットが胴内排紙空間に対する前側上方からの斜め下向きの使用者の視界を遮る不具合を解消することができ、したがって該対向間隙を介した胴内排紙空間の視認性を良好に確保できる。これにて、立ち姿勢のままで胴内排紙空間に排出された用紙の有無を視認することができるので、当該空間内における用紙の取り忘れを効果的に防いで、実用利便性に優れた画像形成装置を得ることができる。
【００１５】
請求項４のように、スライド機構を操作ユニットの筐体の左右端部と画像読取部との間を連結するように装着された左右一対のスライドユニットとしてあると、対向間隙を介して胴内排紙空間を視認し得る、該対向間隙の有効領域を可及的に大きくとることができる。つまり、請求項４に係るような発明形態としてあると、対向間隙の中央部にスライドユニットを設けた構成を採った場合に問題となる、当該スライドユニットが対向間隙を遮ることに起因する視認性の低下問題は生じ難く、したがって、対向間隙を介した良好な胴内排紙空間の視認性を確保することができる。
【００１６】
操作ユニットと装置本体との間の操作信号等の送受信を、ハーネスやコードなどの有線で行う形態では、操作ユニットを付け替えるたびに、コネクタの接合作業などの煩わしい配線作業が不可欠となる。この点、請求項５記載の本発明のように、無線通信により操作ユニットと装置本体との操作信号等の送受信が行われるようにしていると、煩わしい配線作業を完全に廃して、実用利便性に優れた画像形成装置を得ることができる。
【発明を実施するための最良の形態】
【００１７】
（第１実施形態）
以下に、本発明に係る画像形成装置を複合機に適用した第１実施形態について、図面を参照して説明する。図１および図２は複合機１の全体斜視図である。なお、以下においては、複合機の通常使用状態における上、下の方向をそれぞれ上方、下方とする。また、図１において操作ユニット７が配置された方向（白抜き矢印Ｙ１の方向）を「前方」とし、これとは反対の方向を「後方」と規定する。さらに当該前後方向と、水平方向において直交する方向を左右方向と規定する。
【００１８】
この複合機は、いわゆる胴内排紙タイプの画像形成装置であり、装置本体１の下部に配された複数個の給紙カセット２と、これら給紙カセット２の上方に配された画像形成部３と、画像形成部３の上方に胴内排紙空間４を介して配された画像読取部５とを備える。符号５ａは、画像読取部５の上方に組み付けられた自動原稿送り装置を示す。給紙カセット２から送り出された用紙は、画像形成部３によりトナー像が定着されたのちに、胴内排紙空間４の底面６上に送り出される。
【００１９】
図１および図２に示すように、装置本体１の前面側には、操作ユニット（操作部）７が配置されている。この操作ユニット７は、上下ケース１３・１４（図４参照）を蓋合わせ状に接合してなる扁平四角箱型のプラスチック製の筐体１５を基体として、その上面に、表示手段および操作手段として機能するタッチパネル式の液晶画面８、複写枚数等を入力するためのテンキー９などを備える。
【００２０】
操作ユニット７は無線通信機能を備えており、該操作ユニット７と装置本体１との間は、無線通信によって操作信号等の送受信を行う。
【００２１】
胴内排紙空間４に対する視認性を確保することを目的として、装置本体１の前面二箇所に操作ユニット７を装着するためのセット部１０・１１を設け、これらセット部１０・１１の間で、使用者が任意に操作ユニット７の装着位置を変更できるようにしている。具体的には、画像読取部５の前部に第１セット部１０を形成し、画像形成部３の前部に第２セット部１１を形成し、これら第１セット部１０と第２セット部１１に対して、操作ユニット７を着脱自在に構成している。なお、以下においては、図２に示すように、第１セット部１０に操作ユニット７を装着した状態を「上セット状態」と記し、図１に示すように、第２セット部１１に操作ユニット７を装着した状態を「下セット状態」と記す。
【００２２】
図３および図５に示すように、操作ユニット７の左右側面のそれぞれからは、係合ピン２０が左右方向に張り出し形成されている。各係合ピン２０は、上下の縦方向が長く、前後の水平方向が短く設定されるとともに、上下方向の中央部分における前後の幅寸法が小さい、縦長の瓢箪型を呈している。このように係合ピン２０の上下の中央部分の幅寸法を減じたのは、装置本体１側のガイド溝３０の前後面３２・３２（後述）との摺動面積を減らして、操作ユニット７の着脱作業性の向上を図るためである。
【００２３】
図１に示すように、第１セット部１０は、画像読取部５の前端縁の左右方向の中央部に、後方向に向かった切り欠き形成された左右横長の断面四角形状の凹部であり、上下面および前面が開放するポケット状を呈している。第１セット部１０の左右方向の幅寸法は、操作ユニット７のそれよりも、僅かに大きく設定してある。
【００２４】
第１セット部１０の左右方向の内壁面３１のそれぞれには、係合ピン２０を落とし込み案内するためのガイド溝３０が、上下方向に長く切り欠き形成されている。詳しくは、このガイド溝３０は、左右の内方と上方とに開口を有する縦長の溝であり、図３、図４および図５において、符号３２・３２はガイド溝３０の前後面、３３はガイド溝３０の左右方向の奥面、３４はガイド溝３０の下端を形成する底面、３５はガイド溝３０の上方開口を示している。前後面３２・３２の対向間隔寸法で規定される、ガイド溝３０の前後の幅寸法は、係合ピン２０の前後の幅寸法よりも僅かに大きく設定してある。
【００２５】
第１セット部１０に操作ユニット７を装着した際に、該操作ユニット７が不用意に抜け外れるのを防ぐために、これら第１セット部１０と操作ユニット７との間に係合機構Ｅを設ける。図３乃至図５に示すように、係合機構Ｅは、操作ユニット７側の係合ピン２０に設けられた係合凹部２１と、第１セット部１０に形成されて、該係合凹部２１と係合するストッパー爪３６とで構成される。
【００２６】
図５に示すように、係合凹部２１は、係合ピン２０の左右の外側面の下端部近傍に形成された四角穴である。図４に示すように、ストッパー爪３６は、上下方向に長い弾性変形可能な弾性腕３７と、該弾性腕３７の遊端部に膨出形成されて、係合ピン２０の係合凹部２１に係合する半球状の係止片３８とを一体に形成してなる樹脂成形品であり、弾性腕３７の基端側がガイド溝３０に臨む装置本体１（画像読取部５）の筐体内部に、ビス３９で固定されている。係止片３８は、ガイド溝３０の奥面３３に設けられた四角形状の開口４０から第１セット部１０の内方に向かって張出している。
【００２７】
図２に示すように、第２セット部１１は、画像形成部３の前端縁の左右方向の中央部に、切り欠き形成された左右横長の断面四角形状の凹部であり、上面および前面のみが開放する断面Ｌ字形のポケット状を呈している点が、先の第１セット部１０と相違し、それ以外の構造（ガイド溝３０や係合機構Ｅを有する点など）は第１セット部１０と同様である。ガイド溝３０の上下の深さ寸法は、操作ユニット７の厚み寸法と同一或いは僅かに大きく設定してあり、第２セット部１１に操作ユニット７を装着した状態において、すなわち、ガイド溝３０の底面３４に係合ピン２０の下面が受け止められた状態において、操作ユニット７の上面が、胴内排紙空間４の下方を仕切る底面６と面一状か、これより僅かに沈むようになっている（図１参照）。
【００２８】
第１および第２セット部１０・１１に対する操作ユニット７の装脱着は、以下のような手順で行うことができる。まず、左右のガイド溝３０・３０の上方開口３５のそれぞれに、対応する左右の係合ピン２０・２０の下端を位置合わせしたうえで、これら係合ピン２０・２０ごと操作ユニット７を落とし込み装着し、それぞれの係合ピン２０の下面２３をガイド溝３０の底面３４で受け止めさせる。このとき、図３に示すように、係合ピン２０の前後の側面が、ガイド溝３０の前後面３２・３２で挟持状に受け止められ、これで第１セット部１０又は第２セット部１１に、操作ユニット７を略水平姿勢に遊動不能に装着保持することができる。また、かかる装着保持姿勢においては、先の係合機構Ｅが作用する。つまり、図４に示すように、ストッパー爪３６の係止片３８が、弾性腕３７の弾性復元力で係合凹部２１に落ち込み係合することにより、操作ユニット７は左右のストッパー爪３６で保持されるため、これらセット部１０・１１から操作ユニット７が不用意に抜け外れることはない。
【００２９】
以上のようなセット部１０・１１に対する装着保持姿勢から、弾性腕３７の弾性変形力に抗しながら、操作ユニット７を上方に引き上げることで、係合凹部２１と係止片３８との凹凸係合状態を解除することができる。さらに係合ピン２０をガイド溝３０から引き抜くことで、セット部１０・１１から操作ユニット７を取り外すことができる。
【００３０】
上記構成の複合機においては、第２セット部１１に操作ユニット７を装着した下セット状態（図１）において、該操作ユニット７は、胴内排紙空間４の底面６と略同じ高さ位置にある。したがって、かかる下セット状態においては、使用者が装置本体１の前面に立ってコピー操作やファクシミリ操作などの所望の操作を行うときに、操作ユニット７が胴内排紙空間４に対する前側上方からの斜め下向きの使用者の視界を遮る不具合は生じず、胴内排紙空間４の良好な視認性を確保できる。これにより、使用者は腰をかがめるなどの動作を要することなく、立ち姿勢のままで胴内排紙空間４内の用紙の有無を確実に視認することができる。
【００３１】
第１セット部１０を、上面および前面だけでなく下面も開放する形状としてあると、当該下面を開放した分だけ、胴内排紙空間４に対する前側上方からの視界を大きく取ることができる。これにより、操作ユニット７を第２セット部１１に装着した際の胴内排紙空間４に対する視認性の向上を図ることができるので、複合機の実用利便性の向上に貢献できる。
【００３２】
また、使用者が、下セット状態では操作ユニット７までの距離が遠く、その表示内容が見づらい、或いは操作ユニット７を操作しづらいと感じる場合には、第２セット部１１から操作ユニット７を取り外して、これを第１セット部１０に付け替えればよい。このように、本実施形態によれば、使用者の使用態様の変化に即応し得る、実用利便性に優れた複合機を得ることができる。
【００３３】
操作ユニット７と装置本体１との間の操作信号等の送受信を、ハーネスやコードなどの有線で行う形態では、操作ユニット７を付け替えるたびに、コネクタの接合作業などの煩わしい配線作業が不可欠となる。この点、本実施形態のように、無線通信により操作ユニット７と装置本体１との操作信号等の送受信が行われるようにしていると、煩わしい配線作業を廃して、実用利便性に優れた複合機を得ることができる。
【００３４】
（第２実施形態）
図６乃至図１０に、本発明に係る画像形成装置を複合機に適用した第２実施形態を示す。図６および図７は複合機の全体斜視図、図８乃至図１０は、当該実施形態の要部であるスライド機構の構造を説明するための図である。なお、以下においては、複合機１の通常使用状態における上、下の方向をそれぞれ上方、下方とする。また、図６において操作ユニット７が配置された方向（白抜き矢印Ｙ１の方向）を「前方」とし、これとは反対の方向を「後方」と規定する。さらに当該前後方向と、水平方向において直交する方向を左右方向と規定する。
【００３５】
この複合機は、いわゆる胴内排紙タイプの画像形成装置であり、その基本構成は第１実施形態に係る複合機と同様である。したがって第１実施形態と同一の部材には同一の符号を付してその説明を省略する。
【００３６】
そのうえで、この第２実施形態においては、胴内排紙空間４に対する視認性を確保することを目的として、画像読取部５の前端縁に装着された操作ユニット７を、前後方向にスライド移動可能に構成している。具体的には、操作ユニット７は、その後端縁が画像読取部５の前端縁に近接する第１操作位置（図７）と、その後端縁が画像読取部５の前端縁から離れる第２操作位置（図６）との間で、スライド機構により前後方向にスライド移動できるようにしている。
通常の使用時においては、操作ユニット７は第１操作位置（図７）に位置しておく。そして、図６に示すように、操作ユニット７を第２操作位置に移動させたときに、該操作ユニット７と画像読取部５との間に対向間隙５０が形成され、該対向間隙５０を介して胴内排紙空間４の視認性が確保される仕様である。
【００３７】
図６および図７に示すように、画像読取部５の前端縁の左右方向の中央部には、左右横長の凹部５１が、後方向に向かって切り欠き形成されている。凹部５１の左右方向の幅寸法は、操作ユニット７のそれよりも僅かに大きく設定されている。これら凹部５１と操作ユニット７との間に、該操作ユニット７を第１操作位置（図７）と第２操作位置（図６）との間で、前後方向にスライド移動させるためのスライド機構が設けられている。
【００３８】
図６に示すように、このスライド機構は、操作ユニット７の筐体１５の左右端部と画像読取部５との間を連結する、左右一対のスライドユニット５２・５２で構成する。
【００３９】
図８乃至図１０に示すように、各スライドユニット５２は、画像読取部５の凹部５１の左右方向の側面に固定されるアウターレール５３と、該アウターレール５３に対して前後方向に進退可能に構成された中間レール５４と、操作ユニット７の筐体１５の左右方向の側面に固定されて、中間レール５４に対して前後方向に進退可能に構成されたインナーレール５５とで構成される、３段引きのスライドレールである。アウターレール５３は、ビス６０により凹部５１の左右側面に装着固定されている。インナーレール５５は、ビス６１により操作ユニット７に装着固定されている。
【００４０】
中間レール５４は、アウターレール５３の前端部に装着された前後一対のガイドローラ５６・５６に案内支持された状態で、該アウターレール５３内に収まる収容姿勢と、アウターレール５３から前方向に引き出された引出姿勢（図９および図１０参照）との間で、前後の水平方向に進退移動が可能である。同様に、インナーレール５５は、中間レール５４の前端部に装着された前後一対のガイドローラ５７・５７に案内支持された状態で、該中間レール５４内に収まる収容姿勢と、中間レール５４から前方向に引き出された引出姿勢（図９および図１０参照）との間で、前後の水平方向に進退移動が可能である。
そして、操作ユニット７を後方寄りの第１操作位置（図７）から前方向に引き出し操作すると、インナーレール５５が中間レール５４から引き出され、次いで中間レール５４がアウターレール５３から引き出されて、最終的に図６に示すような第２操作位置に操作ユニット７をスライド変位させることができる。
【００４１】
上記構成の複合機においては、操作ユニット７を第２操作位置（図６）に移動させたときに、該操作ユニット７と画像読取部５との間に対向間隙５０が形成され、該対向間隙５０を介して胴内排紙空間４を見ることができる。つまり、かかる第２操作位置（図６）に操作ユニット７をスライド移動させた状態においては、使用者が装置本体１の前面に立ってコピー操作やファクシミリ操作などの所望の操作を行うときに、操作ユニット７が胴内排紙空間４に対する前側上方からの斜め下向きの使用者の視界を遮る不都合は生じず、胴内排紙空間４の良好な視認性を確保できる。これにより、使用者は腰をかがめるなどの動作を要することなく、立ち姿勢のままで、対向間隙５０を介して、胴内排紙空間４内の用紙の有無を確実に視認することができる。
【００４２】
また、無線通信により操作ユニット７と装置本体１との操作信号等の送受信が行われるようにしたので、コネクタの接合作業やハーネスの付け替え作業などのような、煩わしい配線作業を完全に廃して、複合機の実用利便性の向上に貢献できる。
【００４３】
上記第１実施形態においては、第１セット部１０や第２セット部１１を左右横長の断面四角形状の凹部としていたが、本発明はこれに限られない。また、第１実施形態においては、第１セット部１０や第２セット部１１に設けられた縦長のガイド溝３０に、操作ユニット７の係合ピン２０を落とし込み係合させることで、該操作ユニット７が装置本体１に装着される形態を採ったが、装置本体１に対する操作ユニット７の装着構造はこれに限られない。また、第１実施形態においては、ガイド溝３０と係合ピン２０との間に、ストッパー爪３６を構成要素とする係合機構Ｅを設けていたが、当該係合機構Ｅの構造はこれに限られず、さらに装置本体１に対して操作ユニット７を、がたつき無くしっかりと装着固定することができる場合には、係合機構Ｅは不要である。
【００４４】
上記第２実施形態においては、スライドユニット５２として、所謂３段引きのスライドレールを示したが、２段引きのスライドレールなどであってもよい。スライドユニット５２の詳細構造は、上記実施形態に示したものに限られない。
【図面の簡単な説明】
【００４５】
【図１】第１実施形態に係る本発明の画像形成装置の全体斜視図であり、下側の第２セット部に操作ユニットを装着した状態を示している。
【図２】第１実施形態に係る本発明の画像形成装置の全体斜視図であり、上側の第１セット部に操作ユニットを装着した状態を示している。
【図３】セット部の縦断側面図である。
【図４】セット部の縦断正面図である。
【図５】セット部に対する操作ユニットの装着方法を説明するための図である。
【図６】第２実施形態に係る本発明の画像形成装置の全体斜視図であり、操作ユニットを前方向に引き出した状態（第２操作位置）を示している。
【図７】第２実施形態に係る本発明の画像形成装置の全体斜視図であり、操作ユニットを画像読取部寄りに押し込んだ状態（第１操作位置）を示している。
【図８】スライド機構を構成するスライドユニットの縦断正面図である。
【図９】スライド機構を構成するスライドユニットの横断平面図である。
【図１０】スライド機構を構成するスライドユニットの側面図である。
【符号の説明】
【００４６】
１  装置本体
２  給紙カセット
３  画像形成部
４  胴内排紙空間
５  画像読取部
７  操作ユニット
１０  第１セット部
１１  第２セット部
１５  操作ユニットの筐体
５０  対向間隙
５２  スライドユニット
【図１】
2007316438.tif 000003
【図２】
2007316438.tif 000004
【図３】
2007316438.tif 000005
【図４】
2007316438.tif 000006
【図５】
2007316438.tif 000007
【図６】
2007316438.tif 000008
【図７】
2007316438.tif 000009
【図８】
2007316438.tif 000010
【図９】
2007316438.tif 000011
【図１０】
2007316438.tif 000012